(57)【要約】  セッション確立プロトコル（ＳＩＰ）を用いＩＰマルチメディアサブシステム（ＩＭＳ）を介するショートメッセージ（ＳＭ）機能を報告する方法およびシステムを開示する。無線送受信ユニット（ＷＴＲＵ）は、コアネットワークに登録し、そのＳＭ機能を示すメッセージをＩＭＳを介してコアネットワークに送信する。次にコアネットワークは、ＷＴＲＵの機能をそのメッセージに基づき更新し、ＳＭをＷＴＲＵにＩＭＳを介してルーティングする。
2009506590.tif 000002
【特許請求の範囲】
【請求項１】
コアネットワークおよびインターネットプロトコル（ＩＰ）マルチメディアサブシステム（ＩＭＳ）を含む無線通信システムにおいて、前記ＩＭＳを介するショートメッセージ（ＳＭ）機能を報告する方法であって、
無線送受信ユニット（ＷＴＲＵ）が前記コアネットワークに登録するステップと、
前記ＷＴＲＵが第１のメッセージを前記コアネットワークに送信するステップであって、前記第１のメッセージは前記ＩＭＳを介するＷＴＲＵのＳＭ機能を前記コアネットワークに報告する、ステップと、
前記コアネットワークが前記第１のメッセージに基づきＷＴＲＵの機能を更新するステップと、を備え、
ＳＭが前記ＩＭＳを介して前記ＷＴＲＵにルーティングされることを特徴とする方法。
【請求項２】
前記第１のメッセージは、ネットワーク機能情報要素に含まれることを特徴とする請求項１に記載の方法。
【請求項３】
前記第１のメッセージは、追加手続の間に送信されることを特徴とする請求項１に記載の方法。
【請求項４】
前記第１のメッセージは、ショートメッセージサービス（ＳＭＳ）メッセージ、マルチメディアメッセージサービス（ＭＭＳ）メッセージ、およびインスタントメッセージサービスメッセージの少なくとも１つを、前記ＩＭＳを介して送信および受信する機能を示すことを特徴とする請求項１に記載の方法。
【請求項５】
前記コアネットワークが第２のメッセージを前記ＷＴＲＵに送信するステップであって、前記第２のメッセージは前記ＩＭＳを介するショートメッセージサービス（ＳＭＳ）をサポートする前記コアネットワークの機能を報告する、ステップをさらに備えることを特徴とする請求項１に記載の方法。
【請求項６】
コアネットワークおよびインターネットプロトコル（ＩＰ）マルチメディアサブシステム（ＩＭＳ）を含む無線通信システムにおいて、前記ＩＭＳを介するショートメッセージ（ＳＭ）機能を報告する方法であって、
無線送受信ユニット（ＷＴＲＵ）が前記コアネットワークに登録するステップと、
前記ＷＴＲＵが第１のメッセージを前記コアネットワークに送信するステップであって、前記第１のメッセージは前記ＩＭＳを介するＷＴＲＵのＳＭ機能を前記コアネットワークに報告し、前記ＩＭＳを介する前記ＷＴＲＵのＳＭ機能は、ホームロケーションレジスタ（ＨＬＲ）に記録される、ステップと、
前記ＷＴＲＵが、ＩＰを用いてＳＭを送信および受信するためのＳＭ ＩＰゲートウェイ（ＳＭ−ＩＰ−ＧＷ）に登録するステップと、を備え、
前記ＳＭは前記ＷＴＲＵに前記ＩＭＳを介してルーティングされることを特徴とする方法。
【請求項７】
前記ＳＭは、第３世代（３Ｇ）無線アクセスネットワーク（ＲＡＮ）を介して前記ＷＴＲＵにルーティングされることを特徴とする請求項６に記載の方法。
【請求項８】
前記ＳＭは、前記ＷＴＲＵにインターワーキング無線ローカルエリアネットワーク（Ｉ−ＷＬＡＮ）を介してルーティングされることを特徴とする請求項６に記載の方法。
【請求項９】
前記第１のメッセージは、ネットワーク機能の情報要素に含まれることを特徴とする請求項６に記載の方法。
【請求項１０】
前記第１のメッセージは、追加手続の間に送信されることを特徴とする請求項６に記載の方法。
【請求項１１】
前記第１のメッセージは、ショートメッセージサービス（ＳＭＳ）メッセージ、マルチメディアメッセージサービス（ＭＭＳ）メッセージ、およびインスタントメッセージサービスメッセージの少なくとも１つを、前記ＩＭＳを介して送信および受信する機能を示すことを特徴とする請求項６に記載の方法。
【請求項１２】
前記コアネットワークは、第２のメッセージを前記ＷＴＲＵに送信するステップであって、前記第２のメッセージはショートメッセージサービス（ＳＭＳ）をサポートする前記コアネットワークの機能を、前記ＩＭＳを介する報告する、ステップをさらに備えることを特徴とする請求項６に記載の方法。
【請求項１３】
インターネットプロトコル（ＩＰ）マルチメディアサブシステム（ＩＭＳ）を介する無線送受信ユニット（ＷＴＲＵ）のショートメッセージ（ＳＭ）機能に基づいて、ＩＭＳを介するＳＭをＷＴＲＵに配信する無線通信システムであって、
コアネットワークと、
第１のメッセージを前記コアネットワークに送信するように構成されたＷＴＲＵであって、前記第１のメッセージは前記ＩＭＳを介するＷＴＲＵのＳＭ機能を報告する、ＷＴＲＵと
を備え、
コアネットワークは前記ＩＭＳを介してＳＭを前記ＷＴＲＵにルーティングすることを特徴とするシステム。
【請求項１４】
前記第１のメッセージは、ネットワーク機能情報要素に含まれることを特徴とする請求項１３に記載のシステム。
【請求項１５】
前記第１のメッセージは、追加手続の間に送信されることを特徴とする請求項１３に記載のシステム。
【請求項１６】
前記第１のメッセージは、ショートメッセージサービス（ＳＭＳ）メッセージ、マルチメディアメッセージサービス（ＭＭＳ）メッセージ、およびインスタントメッセージサービスメッセージの少なくとも１つを、前記ＩＭＳを介して送信および受信する機能を示すことを特徴とする請求項１３に記載のシステム。
【請求項１７】
前記コアネットワークは第２のメッセージを前記ＷＴＲＵに送信するように構成され、前記第２のメッセージはショートメッセージサービス（ＳＭＳ）をサポートする前記コアネットワークの機能を、前記ＩＭＳを介して報告することを特徴とする請求項１３に記載のシステム。
【請求項１８】
インターネットプロトコル（ＩＰ）マルチメディアサブシステム（ＩＭＳ）を介する無線送受信ユニット（ＷＴＲＵ）のショートメッセージ（ＳＭ）機能に基づいて、ＩＭＳを介するＳＭをＷＴＲＵに配信する無線通信システムであって、
第１のメッセージをコアネットワークに送信するように構成されたＷＴＲＵであって、前記第１のメッセージは前記ＩＭＳを介するＷＴＲＵのＳＭ機能を報告する、ＷＴＲＵと、
前記ＷＴＲＵへの無線アクセスを提供する無線アクセスネットワーク（ＲＡＮ）と、
前記コアネットワークと
を備え、
前記コアネットワークは、
ホームロケーションレジスタ（ＨＬＲ）にて前記ＩＭＳを介する前記ＷＴＲＵのＳＭ機能を更新するように構成された汎用パケット無線サービス（ＧＰＲＳ）サポートノード（ＧＳＮ）と、
前記ＳＭをルーティングするためのルーティング情報を提供するように構成された前記ＨＬＲと、
サービスセンターから受信した前記ＳＭをショートメッセージ−ＩＰ−ゲートウェイ（ＳＭ−ＩＰ−ＧＷ）に、前記ＨＬＲから取得した前記ＳＭ−ＩＰ−ＧＷのアドレスに基づいて転送するように構成されたショートメッセージサービス−ゲートウェイ移動交換局（ＳＭＳ−ＧＭＳＣ）と、
前記ＳＭを前記ＷＴＲＵに前記ＩＭＳを介してルーティングするように構成された前記ＳＭ−ＩＰ−ＧＷと
を含むことを特徴とするシステム。
【請求項１９】
前記ＲＡＮは、第３世代（３Ｇ）ＲＡＮであることを特徴とする請求項１８に記載のシステム。
【請求項２０】
前記ＲＡＮは、インターワーキング無線ローカルエリアネットワーク（Ｉ−ＷＬＡＮ）であることを特徴とする請求項１８に記載のシステム。
【請求項２１】
前記第１のメッセージは、ネットワーク機能情報要素に含まれることを特徴とする請求項１８に記載のシステム。
【請求項２２】
前記第１のメッセージは、追加手続の間に送信されることを特徴とする請求項１８に記載のシステム。
【請求項２３】
前記第１のメッセージは、ショートメッセージサービス（ＳＭＳ）メッセージ、マルチメディアメッセージサービス（ＭＭＳ）メッセージ、およびインスタントメッセージサービスメッセージの少なくとも１つを、前記ＩＭＳを介して送信および受信する機能を示すことを特徴とする請求項１８に記載のシステム。
【請求項２４】
前記コアネットワークは第２のメッセージを前記ＷＴＲＵに送信するように構成され、前記第２のメッセージはショートメッセージサービス（ＳＭＳ）をサポートする前記コアネットワークの機能を、前記ＩＭＳを介して報告することを特徴とする請求項１８に記載のシステム。
【発明の詳細な説明】
【技術分野】
【０００１】
本発明は無線通信システムに関する。より詳細には、本発明は、ＩＰマルチメディアサブシステム（ＩＭＳ）を介してショートメッセージ（ＳＭ）機能を報告する方法およびシステムに関する。
【背景技術】
【０００２】
無線送受信ユニット（ＷＴＲＵ）とコアネットワークとの間の無線通信セッションの開始において、ＷＴＲＵは、第３世代パートナーシッププロジェクト（３ＧＰＰ：third generation partnership project）規格に従って追加手続（attach procedure）の信号接続を要求する。現在、個別チャネルおよび汎用パケット無線サービス（ＧＰＲＳ：global packet radio service）チャネルを介してショートメッセージサービス（ＳＭＳ：short message service）をサポートするネットワーク機能は、ネットワーク機能の情報要素（ＩＥ：information element）で報告される。
【発明の開示】
【発明が解決しようとする課題】
【０００３】
しかし、ＩＭＳを介するＷＴＲＵのＳＭ機能を報告する手段は存在しない。その結果、コアネットワークはＷＴＲＵのＳＭ機能を認識せず、ＳＭはＷＴＲＵにＩＭＳを介してルーティングできない。現在の無線通信規格はＷＴＲＵが（ＳＭＳの配信の観点から）動作の好ましいモードを示すことを規定しているため、ＷＴＲＵが、ＧＳＭネットワークまたはＧＰＲＳベースのネットワークを介するＳＭＳの配信を指示すべきである。しかし、例えば、ＷＴＲＵがＧＰＲＳネットワークで動作しており、その好ましい設定がＧＳＭネットワーク上である場合、ＳＭＳメッセージは失われる可能性がある。同じ問題が、好ましい動作がＧＰＲＳ配信である場合において、ＷＴＲＵがＧＳＭモードで動作するときも起きる。したがって、ＷＴＲＵがＩＭＳを介するＳＭ機能をコアネットワークに報告する手段を提供することが望ましい。
【課題を解決するための手段】
【０００４】
本発明は、セッション確立プロトコル（ＳＩＰ：session initiation protocol）を用いて、ＩＭＳを介するＳＭ機能を報告する方法およびシステムに関する。ＷＴＲＵがコアネットワークに登録し、そのＳＭ機能を示すメッセージをＩＭＳを介してコアネットワークに送信する。次にコアネットワークは、ＷＴＲＵの機能をそのメッセージに基づき更新し、ＳＭをＷＴＲＵにＩＭＳを介してルーティングする。
【発明を実施するための最良の形態】
【０００５】
以下で参照する場合、「ＷＴＲＵ」という用語は、ユーザ機器（ＵＥ：ｕｓｅｒ  ｅｑｕｉｐｍｅｎｔ）、移動局、固定式または移動式の加入者ユニット、ページャ、または無線環境で動作可能な任意の他の種類の装置を含むが、これに限定されない。
【０００６】
本発明の特徴は、集積回路（ＩＣ）内に組み込まれるか、または多数の相互接続されるコンポーネントを備える回路内に構成されてよい。
【０００７】
図１は、本発明による、ＳＩＰを用いてＩＭＳ １１６を介するメッセージサービスをサポートする無線通信システム１００のブロック図を示す。システム１００は、コアネットワーク、および異なる無線アクセス技術（ＲＡＴ：radio access technology）を実装可能な１または複数の無線アクセスネットワーク（ＲＡＮ：radio access network）を含む。ＲＡＮは、グローバルスタンダードフォーモバイルコミュニケーション（ＧＳＭ：global standards for mobile communication）ＲＡＮ １０２、第３世代（３Ｇ）ＲＡＮ １０４およびインターワーキング無線ローカルエリアネットワーク（Ｉ−ＷＬＡＮ：interworking wireless local area network）１０６を含むが、これに限定されない。コアネットワークは、ショートメッセージサービス（ＳＭＳ）ゲートウェイ移動交換局（ＳＭＳ−ＧＭＳＣ：SMS gateway mobile switching center）／インターワーキング移動交換局（ＩＷ−ＭＳＣ：interworking mobile switching center）１２０、ホームロケーションレジスタ（ＨＬＲ：home location register）１２２、ショートメッセージＩＰゲートウェイ（ＳＭ−ＩＰ−ＧＷ）１１８、ＧＰＲＳサポートノード（ＧＳＮ）１１４、移動交換局（ＭＳＣ：mobile switching center）１１２、ＩＭＳ １１６、およびビジターロケーションレジスタ（ＶＬＲ：visitor location register）１２４を含む。
【０００８】
ＧＳＭ ＲＡＮ １０２は回線交換サービスのためのＭＳＣ １１２に接続され、３Ｇ ＲＡＮ １０４はパケット交換サービスのためのＧＳＮ １１４に接続される。Ｉ−ＷＬＡＮ １０６は、コアネットワークを介するＩＰサービスのためのＩＭＳ １１６へのＩＰアクセス機能（パケットデータゲートウェイ（ＰＤＧ：packet data gateway）および／またはＷＬＡＮアクセスゲートウェイ（ＷＡＧ：WLAN access gateway）を介して）を有する。
【０００９】
サービスセンター１２６は、ショートメッセージ（ＳＭ）１４０をＳＭＳ−ＧＭＳＣ／ＩＷ−ＭＳＣ １２０に送信する。ＳＭＳ−ＧＭＳＣ／ＩＷ−ＭＳＣ １２０は、サービスセンター１２６と、ＭＳＣ １１２、ＧＳＮ １１４および／またはＳＭ−ＩＰ−ＧＷ １１８との間のゲートウェイである。ＳＭＳ−ＧＭＳＣ／ＩＷ−ＭＳＣ １２０は、ＷＴＲＵ終端のＳＭまたはＷＴＲＵ発信のＳＭを受け付け、ＳＭ １４０を、ＭＳＣ １１２、ＧＳＮ １１４またはＳＭ−ＩＰ−ＧＷ １１８に配信する。ＷＴＲＵ １３０が３Ｇ ＲＡＮ １０４に接続される場合、ＳＭ １４０は、ＳＭＳ−ＧＭＳＣ／ＩＷ−ＭＳＣ １２０から３Ｇ ＲＡＮ １０４へＧＳＮ １１４を介してルーティング可能である。ＷＴＲＵ １３０がＧＳＭ ＲＡＮ１０２に接続される場合、ＳＭ １４０はＳＭＳ−ＧＭＳＣ／ＩＷ−ＭＳＣ １２０からＧＳＭ ＲＡＮ １０２へＭＳＣ １１２を介してルーティング可能である。ＷＴＲＵ １３０がＳＭ−ＩＰ−ＧＷ １１８に登録されると、ＳＭ １４０はＳＩＰを用いてＳＭ−ＩＰ−ＧＷ １１８およびＩＭＳ １１６を介してルーティング可能である。これについては以下で詳細に説明する。
【００１０】
ＳＭ １４０は、ＳＭＳメッセージ（例えば、テキストのみ、またはテキストにビデオメッセージを加えたもの）、マルチメディアメッセージサービス（ＭＭＳ：multimedia message service）メッセージ、インスタントメッセージサービスメッセージ等であってよい。
【００１１】
ＳＭ １４０をＩＭＳ １１６などのＩＰネットワークを介して発信または受信する前に、ＷＴＲＵ １３０が適切なＳＭ−ＩＰ−ＧＷ １１８に登録する必要がある。ＳＭ−ＩＰ−ＧＷ １１８は、ＷＴＲＵ １３０とＳＭＳ−ＧＭＳＣ／ＩＷ−ＭＳＣ １２０の間を通信し、ＷＴＲＵ １３０とＳＭＳ−ＧＭＡＣ／ＩＷ−ＭＳＣ １２０の間のＳＭ １４０の配信のためのプロトコル相互作用を提供する。ＳＭ−ＩＰ−ＧＷ １１８は、ＷＴＲＵ １３０の登録状態を保持する。登録の際、ＳＭ−ＩＰ−ＧＷ １１８はＷＴＲＵ １３０がＳＭ−ＩＰ−ＧＷ １１８に正常に登録されたことをＨＬＲ １２２に通知する。
【００１２】
サービスセンター１２６からのＳＭ １４０の受信の際、ＳＭＳ−ＧＭＳＣ／ＩＷ−ＭＳＣ １２０は、ＨＬＲ １２２に問い合わせをしてＷＴＲＵ １３０に関するルーティング情報を取り出す。ＷＴＲＵ １３０がＧＳＭ ＲＡＮ １０２または３Ｇ ＲＡＮ １０４に接続されている場合、ＨＬＲ １２２は、ＭＳＣ １１２またはＧＳＮ １１４のアドレスをそれぞれ返す。ＷＴＲＵ １３０がＳＭ−ＩＰ−ＧＷ １１８に登録されている場合、ＨＬＲ １２２はＳＭ−ＩＰ−ＧＷ １１８のアドレスを返す。
【００１３】
本発明によると、ＳＭ １４０は、ＳＩＰを用いてＷＴＲＵ １３０にＩＭＳ １１６を介してルーティングされる。ＷＴＲＵ １３０はＳＭ−ＩＰ−ＧＷ １１８に登録され、その登録状態がＨＬＲ １２２に記録される。ＳＭＳ−ＧＭＳＣ／ＩＷ−ＭＳＣ １２０がＨＬＲ １２２にルーティング情報を問い合わせると、ＨＬＲ １２２は、（適切なＭＳＣ １１２またはＳＧＳＮ １１４のアドレスではなく）ＳＭ−ＩＰ−ＧＷ １１８のアドレスをＳＭＳ−ＧＭＳＣ／ＩＷ−ＭＳＣ １２０に返す。次にＳＭＳ−ＧＭＳＣ／ＩＷ−ＭＳＣ １２０は、取得したＳＭ−ＩＰ−ＧＷ １１８のアドレスを用いて、ＳＭ １４０をＳＭ−ＩＰ−ＧＷ１１８に配信する。次にＳＭ−ＩＰ−ＧＷ １１８は、ＳＭ １４０をＩＭＳ １１６に転送する。
【００１４】
次にＩＭＳ １１６は、ＷＴＲＵ １３０の現在の接続に応じて、ＧＳＮ １１４を介して３Ｇ ＲＡＮ １０４か、またはＩ−ＷＬＡＮ １０６のどちらかにＳＭ １４０を転送する。ＷＴＲＵ １３０が３Ｇ ＲＡＮ １０４に接続されている場合、ＳＭ １４０は、ＳＭ−ＩＰ−ＧＷ １１８から３Ｇ ＲＡＮ １０４にＩＭＳ １１６およびＧＳＮ １１４を介してＳＩＰを用いてルーティングされる。ＷＴＲＵ １３０がＩ−ＷＬＡＮ １０６に接続されている場合、ＳＭ １４０はＳＭ−ＩＰ−ＧＷ １１８からＩ−ＷＬＡＮ １０６にＩＭＳ １１６を介してＳＩＰを用いてルーティングされる。
【００１５】
本発明によると、ＷＴＲＵ １３０は、ＳＩＰを用いてコアネットワーク（好ましくはサービングＧＰＲＳサポートノード（ＳＧＳＮ：serving GPRS support node））に対してＩＭＳを介するそのＳＭ機能を報告し、ＨＬＲ １２２に記録される。この報告は追加手続の間に行われることが好ましい。これについては以下で詳細に説明する。またコアネットワークは、ＷＴＲＵ １３０にネットワークの機能を通知して、ＩＭＳを介するＳＭＳをサポートしてもよい。
【００１６】
図２は、本発明による、ＩＭＳを介するＷＴＲＵのＳＭ機能を報告する処理２００の流れ図である。ＷＴＲＵ １３０は、ＧＳＭの無線インターフェース、Ｉ−ＷＬＡＮの無線インターフェース、３Ｇの無線インターフェース等などの複数のＲＡＴをサポートする複数の無線ユニットを含むマルチモードＷＴＲＵであってよい。ステップ２０２で電源を入れる際、ＷＴＲＵ１３０は、無線リソース制御（ＲＲＣ：radio resource control）追加要求メッセージ（RRC connection request message）を３Ｇ ＲＡＮの無線ネットワーク制御装置（ＲＮＣ：radio network controller）１１３に送信し、３Ｇ ＲＡＮ１０４への接続を確立する（ステップ２０４）。ＲＮＣ １１３は、資源の可用性等などの所定の要因に基づき、流入制御（admission control）を実行する（ステップ２０６）。ＲＮＣ １１３がＷＴＲＵ １３０を承認すると決定する場合、ＲＮＣ １１３はＲＲＣ接続設定メッセージ（RRC connection setup message）をＷＴＲＵ １３０に送信する（ステップ２０８）。次にＷＴＲＵ １３０は、ＲＲＣ接続完了メッセージ（RRC connection complete message）をＲＮＣ １１３に送信する（ステップ２１０）。
【００１７】
次にＷＴＲＵ １３０は、３Ｇサービスを受信するために追加要求メッセージ（attach request message）をＲＮＣ １１３に送信する（ステップ２１２）。本発明によると、ＩＭＳを介するＷＴＲＵのＳＭ機能に関する情報は、ネットワーク機能のＩＥを用いて追加要求メッセージとともに送信される。ＲＮＣ １１３は、ＷＴＲＵ １３０にサービスするためにＳＧＳＮ １１４を選択し、追加要求メッセージを選択されたＳＧＳＮ １１４にＳＭ機能の情報とともに転送する（ステップ２１４）。認証およびセキュリティの機能がＷＴＲＵ １３０とＳＧＳＮ １１４の間で実行される（ステップ２１６）。ＷＴＲＵ １３０がステップ２１８で認証されると、ＳＧＳＮ １１４は、更新ＷＴＲＵ機能メッセージをＨＬＲ １２２に送信し、ＷＴＲＵの機能を更新し（ステップ２２０）、追加承諾メッセージ（Attach accept message）をＲＮＣ １１３に送信し、ＲＮＣ １１３はＷＴＲＵ １３０にそのメッセージを転送する（ステップ２２２、２２４）。ＷＴＲＵの機能がＨＬＲ １２２で更新され、ＷＴＲＵ １３０がＳＭ−ＩＰ−ＧＷ １１８に登録されると、ＳＭ １４０は、ＷＴＲＵ １３０にＩＭＳ １１６を介してルーティング可能である。またコアネットワーク（好ましくはＳＧＳＮ）は、ＩＭＳを介するＳＭＳデータ配信をサポートするネットワークの機能に関する情報を送信できる。この情報は、追加承諾メッセージまたは任意の他のメッセージとともに送信可能である。
【００１８】
図３Ａは、従来のネットワーク機能のＩＥを示す。このネットワーク機能のＩＥは、個別チャネルを介するＳＭ機能およびＧＰＲＳチャネルを介するＳＭ機能を示す情報ビットを含むが、ＩＭＳを介するＳＭ機能は含まない。
【００１９】
図３Ｂは、本発明によって構成されたネットワーク機能のＩＥの例を示す。図３Ｂに示されたこのネットワーク機能のＩＥは、ＩＭＳを介するＳＭ機能を示す新しい情報ビット３０２を含む。ＩＭＳを介するＳＭ機能のためのこの新しい情報ビットは、ＳＭＳ、ＩＭＳ、ＭＭＳ等をサポートする機能を示すことができる。同様のネットワーク機能のＩＥを用いて、コアネットワークが、ネットワークの機能を報告して、ＩＭＳを介するＳＭＳをサポートしてもよい。
【００２０】
＜＜実施形態＞＞
１．コアネットワークおよびＩＭＳを含む無線通信システムにおいてＩＭＳを介するＳＭ機能を報告する方法。
【００２１】
２．ＷＴＲＵがコアネットワークに登録するステップを備える、実施形態１に記載の方法。
【００２２】
３．ＷＴＲＵが第１のメッセージをコアネットワークに送信するステップをさらに備え、この第１のメッセージはＩＭＳを介するＷＴＲＵのＳＭ機能をコアネットワークに報告する、実施形態２に記載の方法。
【００２３】
４．コアネットワークが第１のメッセージに基づきＷＴＲＵの機能を更新するステップをさらに備え、それによりＳＭがＩＭＳを介してＷＴＲＵにルーティングされる、実施形態３に記載の方法。
【００２４】
５．第１のメッセージはネットワーク機能の情報要素に含まれる、実施形態３から４のいずれかに記載の方法。
【００２５】
６．第１のメッセージは追加手続の間に送信される、実施形態３から５のいずれかに記載の方法。
【００２６】
７．第１のメッセージは、ＳＭＳメッセージ、ＭＭＳメッセージ、およびインスタントメッセージサービスメッセージの少なくとも１つを、ＩＭＳを介して送信および受信する機能を示す、実施形態３から６のいずれかに記載の方法。
【００２７】
８．コアネットワークが第２のメッセージをＷＴＲＵに送信するステップを備え、この第２のメッセージはＩＭＳを介するＳＭＳをサポートするコアネットワークの機能を報告する、実施形態１から７のいずれかに記載の方法。
【００２８】
９．コアネットワークおよびＩＭＳを含む無線通信システムにおいてＩＭＳを介するＳＭ機能を報告する方法。
【００２９】
１０．ＷＴＲＵがコアネットワークに登録するステップを備える、実施形態９に記載の方法。
【００３０】
１１．ＷＴＲＵが第１のメッセージをコアネットワークに送信するステップをさらに備え、この第１のメッセージはＩＭＳを介するＷＴＲＵのＳＭ機能をコアネットワークに報告し、ＩＭＳを介するＷＴＲＵのＳＭ機能はＨＬＲに記録される、実施形態１０に記載の方法。
【００３１】
１２．ＷＴＲＵがＩＰを用いてＳＭを送信および受信するためにＳＭ−ＩＰ−ＧＷに登録するステップをさらに備え、それによりＳＭはＷＴＲＵにＩＭＳを介してルーティングされる、実施形態１１に記載の方法。
【００３２】
１３．ＳＭがＷＴＲＵに３Ｇ ＲＡＮを介してルーティングされる、実施形態９から１２のいずれかに記載の方法。
【００３３】
１４．ＳＭがＷＴＲＵにＩ−ＷＬＡＮを介してルーティングされる、実施形態９から１２のいずれかに記載の方法。
【００３４】
１５．第１のメッセージはネットワーク機能の情報要素に含まれる、実施形態１１から１４のいずれかに記載の方法。
【００３５】
１６．第１のメッセージは追加手続の間に送信される、実施形態１１から１５のいずれかに記載の方法。
【００３６】
１７．第１のメッセージは、ＳＭＳメッセージ、ＭＭＳメッセージ、およびインスタントメッセージサービスメッセージの少なくとも１つを、ＩＭＳを介して送信および受信する機能を示す、実施形態１１から１６のいずれかに記載の方法。
【００３７】
１８．コアネットワークが第２のメッセージをＷＴＲＵに送信するステップをさらに備え、この第２のメッセージはＩＭＳを介するＳＭＳをサポートするコアネットワークの機能を報告する、実施形態９から１７のいずれかに記載の方法。
【００３８】
１９．ＩＭＳを介するＷＴＲＵのＳＭ機能に基づいて、ＳＭをＷＴＲＵにＩＭＳを介して配信する無線通信システム。
【００３９】
２０．コアネットワークを備える、実施形態１９に記載のシステム。
【００４０】
２１．第１のメッセージをコアネットワークに送信するように構成されたＷＴＲＵを備え、この第１のメッセージはＩＭＳを介するＷＴＲＵのＳＭ機能を報告し、それによりコアネットワークはＳＭをＷＴＲＵにＩＭＳを介してルーティングする、実施形態２０に記載のシステム。
【００４１】
２２．第１のメッセージはネットワーク機能の情報要素に含まれる、実施形態２１に記載のシステム。
【００４２】
２３．第１のメッセージは追加手続の間に送信される、実施形態２１から２２のいずれかに記載のシステム。
【００４３】
２４．第１のメッセージはＳＭＳメッセージ、ＭＭＳメッセージ、およびインスタントメッセージサービスメッセージの少なくとも１つを、ＩＭＳを介して送信および受信する機能を示す、実施形態２１から２３のいずれかに記載のシステム。
【００４４】
２５．コアネットワークは第２のメッセージをＷＴＲＵに送信するように構成され、この第２のメッセージはＩＭＳを介するＳＭＳをサポートするコアネットワークの機能を報告する、実施形態２０から２４のいずれかに記載のシステム。
【００４５】
２６．ＩＭＳを介するＷＴＲＵのＳＭ機能に基づいて、ＳＭをＷＴＲＵにＩＭＳを介して配信する無線通信システム。
【００４６】
２７．コアネットワークを備える、実施形態２６に記載のシステム。
【００４７】
２８．第１のメッセージをコアネットワークに送信するように構成されたＷＴＲＵを備え、この第１のメッセージはＩＭＳを介するＷＴＲＵのＳＭ機能を報告する、実施形態２７に記載のシステム。
【００４８】
２９．ＷＴＲＵへの無線アクセスを提供するＲＡＮを備える、実施形態２６から２８いずれかに記載のシステム。
【００４９】
３０．コアネットワークは、ＨＬＲにてＩＭＳを介するＷＴＲＵのＳＭ機能を更新するように構成されたＧＳＮを含む、実施形態２７から２９のいずれかに記載のシステム。
【００５０】
３１．コアネットワークは、ＳＭをルーティングするためのルーティング情報を提供するように構成されたＨＬＲをさらに含む、実施形態３０に記載のシステム。
【００５１】
３２．コアネットワークは、ＨＬＲから取得したＳＭ−ＩＰ−ＧＷのアドレスに基づいて、サービスセンターから受信したＳＭをＳＭ−ＩＰ−ＧＷに対して転送するように構成されたＳＭＳ−ＧＭＳＣをさらに含む、実施形態３１に記載のシステム。
【００５２】
３３．コアネットワークは、ＳＭをＷＴＲＵにＩＭＳを介してルーティングするように構成されたＳＭ−ＩＰ−ＧＷをさらに含む、実施形態３２に記載のシステム。
【００５３】
３４．ＲＡＮは３Ｇ ＲＡＮである、実施形態２９から３３のいずれかに記載のシステム。
【００５４】
３５．ＲＡＮはＩ−ＷＬＡＮである、実施形態２９から３３のいずれかに記載のシステム。
【００５５】
３６．第１のメッセージはネットワーク機能の情報要素に含まれる、実施形態２８から３５のいずれかに記載のシステム。
【００５６】
３７．第１のメッセージは追加手続の間に送信される、実施形態２８から３６のいずれかに記載のシステム。
【００５７】
３８．第１のメッセージは、ＳＭＳメッセージ、ＭＭＳメッセージ、およびインスタントメッセージサービスメッセージの少なくとも１つを、ＩＭＳを介して送信および受信する機能を示す、実施形態２８から３７のいずれかに記載のシステム。
【００５８】
３９．コアネットワークは第２のメッセージをＷＴＲＵに送信するように構成され、この第２のメッセージはＩＭＳを介するＳＭＳをサポートするコアネットワークの機能を報告する、実施形態２７から３８のいずれかに記載のシステム。
【００５９】
本発明の機能および要素を特定の組み合わせの好ましい実施形態で説明したが、各機能または要素は、好ましい実施形態の他の機能および要素を伴わず単独で使用可能であり、あるいは本発明の他の機能および要素を伴って、または伴わずに様々な組み合わせで使用可能である。
【図面の簡単な説明】
【００６０】
【図１】本発明による、ＩＭＳを介するメッセージサービスをサポートする無線通信システムのブロック図である。
【図２】本発明による、追加手続の間のＷＴＲＵのＳＭ機能を報告する処理の流れ図である。
【図３Ａ】従来のネットワーク機能の情報要素（ＩＥ）を示す図である。
【図３Ｂ】本発明によって構成されたネットワーク機能のＩＥを示す図である。
【図１】
2009506590.tif 000003
【図２】
2009506590.tif 000004
【図３Ａ】
2009506590.tif 000005
【図３Ｂ】
2009506590.tif 000006